(57)【要約】【課題】シール性を確保し得るコネクタを提供する。【解決手段】コネクタ１０は、雌側シール面２２を有する雌ハウジング２０と、雌ハウジング２０が嵌合するフード部６２を有する雄ハウジング３０と、フード部６２内に設置され、雌ハウジング２０および雄ハウジング３０の嵌合時に、雌側シール面２２に密着するシールリング４０と、雌ハウジング２０に装着され、雌側シール面２２を覆う保護部材５０と、を備えている。【選択図】図１５
2020149775.tif 000002
【特許請求の範囲】
【請求項１】
シール面を有する第１ハウジングと、
前記第１ハウジングが嵌合するフード部を有する第２ハウジングと、
前記フード部内に設置され、前記第１ハウジングおよび前記第２ハウジングの嵌合時に、前記シール面に密着するシールリングと、
前記第１ハウジングに装着され、前記シール面を覆う保護部材と、を備えているコネクタ。
【請求項２】
前記保護部材は、前記シール面を覆う保護位置と、前記シール面から退避した退避位置との間で移動可能であり、
前記第２ハウジングは、前記第１ハウジングおよび前記第２ハウジングの嵌合過程で、前記保護部材を前記保護位置から前記退避位置に押し込む押込部を有している請求項１に記載のコネクタ。
【請求項３】
前記押込部は、前記フード部の内側に配置されている請求項２に記載のコネクタ。
【請求項４】
前記第２ハウジングは、前記フード部の内側に、前記シールリングの抜け出しを規制するリテーナを有し、
前記押込部は、前記リテーナに設けられている請求項２または請求項３に記載のコネクタ。
【請求項５】
前記第１ハウジングは、ロック部およびストッパ部を有し、
前記第２ハウジングは、前記ロック部に当たって前記第１ハウジングからの離脱を規制するハウジング側ロックアームを有し、
前記保護部材は、前記ストッパ部に当たって前記保護位置から前記退避位置への移動を規制する保護部材側ロックアームを有し、
前記ハウジング側ロックアームが前記ロック部を乗り越えて弾性復帰する動作と、前記保護部材側ロックアームが前記ストッパ部を乗り越えて弾性復帰する動作と、を連結させる連結部を備えている請求項２から請求項４のいずれか１項に記載のコネクタ。
【請求項６】
前記連結部は、前記ハウジング側ロックアームおよび前記保護部材側ロックアームのそれぞれにおいて、前記第１ハウジングおよび前記第２ハウジングの嵌合方向に凹凸嵌合し、かつ互いに離反する方向に変位するのを規制する請求項５に記載のコネクタ。
【請求項７】
前記保護部材側ロックアームは、端部に、押圧されて前記ハウジング側ロックアームと前記ロック部との当て止め状態を解除する操作部を有し、
前記操作部は、前記第１ハウジングおよび前記第２ハウジングの嵌合時に、前記フード部の開口から突出して配置される請求項５または請求項６に記載のコネクタ。
【発明の詳細な説明】
【技術分野】
【０００１】
本開示は、コネクタに関する。
【背景技術】
【０００２】
特許文献１のコネクタは、第１筒体部を有するオスハウジングと、第１筒体部に挿入されるメスハウジングと、を備えている。第１筒体部の内底面には、シール部材が組み付けられている。メスハウジングのシール面と、第１筒体部の内底面とによってシール部材を挟むことで、防水構造を形成している。また、メスハウジングは、挿入部の外周を包囲する第２筒体部を有している。特許文献２，３のコネクタも同様に、メスハウジングは、シール面を有している。
【先行技術文献】
【特許文献】
【０００３】
【特許文献１】特開２０１５−１８５２８２号公報
【特許文献２】特開平９−１３４７５７号公報
【特許文献３】特開２００７−１２５９２号公報
【発明の概要】
【発明が解決しようとする課題】
【０００４】
ところで、特許文献１のコネクタでは、オスハウジングとメスハウジングの嵌合前の状態において、メスハウジングのシール面が、筒体部間の大きな空間に露出することになってしまう。したがって、メスハウジングのシール面が外部異物と干渉して損傷してしまい、シール性が損なわれる虞がある。
【０００５】
そこで、シール性を確保し得るコネクタを提供することを目的とする。
【課題を解決するための手段】
【０００６】
本開示のコネクタは、
シール面を有する第１ハウジングと、
前記第１ハウジングが嵌合するフード部を有する第２ハウジングと、
前記フード部内に設置され、前記第１ハウジングおよび前記第２ハウジングの嵌合時に、前記シール面に密着するシールリングと、
前記第１ハウジングに装着され、前記シール面を覆う保護部材と、を備えている。
【発明の効果】
【０００７】
本開示によれば、シール性を確保し得るコネクタを提供することが可能となる。
【図面の簡単な説明】
【０００８】
【図１】図１は、実施例１にかかるコネクタの分解斜視図である。
【図２】図２は、雌ハウジングの斜視図である。
【図３】図３は、雌ハウジングの正面図である。
【図４】図４は、図３のＡ−Ａ断面図である。
【図５】図５は、保護部材の斜視図である。
【図６】図６は、保護部材の正面図である。
【図７】図７は、雄ハウジングの側面図である。
【図８】図８は、雄ハウジングの正面図である。
【図９】図９は、図８のＢ−Ｂ断面図である。
【図１０】図１０は、図７のＣ−Ｃ断面図である。
【図１１】図１１は、リテーナの正面図である。
【図１２】図１２は、図１１のＤ−Ｄ断面図である。
【図１３】図１３は、保護部材が雌ハウジングに対して保護位置にある状態を示す平面図である。
【図１４】図１４は、保護部材が雌ハウジングに対して退避位置にある状態を示す平面図である。
【図１５】図１５は、雄ハウジングに対する雌ハウジングの嵌合開始時の状態を示す側断面図である。
【図１６】図１６は、図１５のＥ−Ｅ断面図である。
【図１７】図１７は、雄ハウジングに対する雌ハウジングの挿入途中の状態を示す側断面図である。
【図１８】図１８は、図１７のＦ−Ｆ断面図である。
【図１９】図１９は、雄ハウジングに対する雌ハウジングの嵌合完了時の状態を示す側断面図である。
【図２０】図２０は、図１９のＧ−Ｇ断面図である。
【図２１】図２１は、コネクタの解除操作時の状態を示す側断面図である。
【図２２】図２２は、図２１のＨ−Ｈ断面図である。
【発明を実施するための形態】
【０００９】
［本開示の実施形態の説明］
最初に本開示の実施態様を列記して説明する。
本開示のコネクタは、
（１）シール面を有する第１ハウジングと、前記第１ハウジングが嵌合するフード部を有する第２ハウジングと、前記フード部内に設置され、前記第１ハウジングおよび前記第２ハウジングの嵌合時に、前記シール面に密着するシールリングと、前記第１ハウジングに装着され、前記シール面を覆う保護部材と、を備えている。
第１ハウジングおよび第２ハウジングの嵌合前、シール面は、保護部材で覆われているため、外部異物と干渉するのが防止される。その結果、シール面が損傷するのが防止され、シール性を確保することができる。
（２）前記保護部材は、前記シール面を覆う保護位置と、前記シール面から退避した退避位置との間で移動可能であり、前記第２ハウジングは、前記第１ハウジングおよび前記第２ハウジングの嵌合過程で、前記保護部材を前記保護位置から前記退避位置に押し込む押込部を有していることが好ましい。
第１ハウジングおよび第２ハウジングの嵌合過程で、押込部によって保護部材が保護位置から退避位置に押し込まれる。そのため、保護部材を退避位置まで別途移動させる必要がなく、作業性を向上させることができる。
（３）前記押込部は、前記フード部の内側に配置されていると良い。
第１ハウジングがフード部の内側に入った後、保護部材が退避位置に押し込まれるから、シール面を保護する確実性を高めることができる。
（４）前記第２ハウジングは、前記フード部の内側に、前記シールリングの抜け出しを規制するリテーナを有し、前記押込部は、前記リテーナに設けられていると良い。
リテーナが、シールリングの抜け出しを規制する機能に加え、保護部材を退避位置に押し込む機能を兼備する。したがって、保護部材を退避位置に押し込むための専用の構造を設ける必要がなく、全体の構造を簡単にすることができる。
（５）前記第１ハウジングは、ロック部およびストッパ部を有し、前記第２ハウジングは、前記ロック部に当たって前記第１ハウジングからの離脱を規制するハウジング側ロックアームを有し、前記保護部材は、前記ストッパ部に当たって前記保護位置から前記退避位置への移動を規制する保護部材側ロックアームを有し、前記ハウジング側ロックアームが前記ロック部を乗り越えて弾性復帰する動作と、前記保護部材側ロックアームが前記ストッパ部を乗り越えて弾性復帰する動作と、を連結させる連結部を備えていると良い。
第１ハウジングおよび第２ハウジングの嵌合時に、連結部を介して保護部材側ロックアームとストッパ部との当て止め状態を自動的に解除することができる。このため、保護部材側ロックアームとストッパ部との当て止め状態を解除するための特別な作業が不要となり、作業性を向上させることができる。また、第１ハウジングおよび第２ハウジングの嵌合後、保護部材側ロックアームが弾性復帰することにより、保護部材側ロックアームに残留応力が生じるのを防止することができる。
（６）前記連結部は、前記ハウジング側ロックアームおよび前記保護部材側ロックアームのそれぞれにおいて、前記第１ハウジングおよび前記第２ハウジングの嵌合方向に凹凸嵌合し、かつ互いに離反する方向に変位するのを規制すると良い。
このように連結部が簡単な構造であっても、ハウジング側ロックアームと保護部材側ロックアームの連結状態を良好に維持することができる。
（７）前記保護部材側ロックアームは、端部に、押圧されて前記ハウジング側ロックアームと前記ロック部との当て止め状態を解除する操作部を有し、前記操作部は、前記第１ハウジングおよび前記第２ハウジングの嵌合時に、前記フード部の開口から突出して配置されると良い。
保護部材側ロックアームとハウジング側ロックアームとが連結部によって連結され、操作部が保護部材側ロックアームに設けられていてフード部の開口から突出しているため、ハウジング側ロックアームとロック部との当て止め状態を解除する作業を支障なく行うことができる。
【００１０】
［本開示の実施形態の詳細］
本開示のコネクタの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１１】
［実施例１］
本発明の実施例１を、図１〜図２２を参照して説明する。なお、以下の各ハウジングの説明において、前後方向については、嵌合する相手側のハウジングと向き合う側を前側とする。例えば、図４の左側および図７の右側を前側とする。また、上方及び下方は、図１５の上下方向を基準とする。
【００１２】
コネクタ１０は、図１に示すように、雌ハウジング２０（第１ハウジング）と、雄ハウジング３０（第２ハウジング）と、シールリング４０と、保護部材５０と、を備えている。なお、コネクタ１０は、雌ハウジング２０および雄ハウジング３０のそれぞれに端子金具が収容されるが、以下では端子金具を省略して説明する。
【００１３】
雌ハウジング２０は、合成樹脂製である。雌ハウジング２０は、図４に示すように、端子金具が挿入可能なキャビティ２１を有している。キャビティ２１は、雌ハウジング２０を前後方向に貫通した形態である。雌ハウジング２０の前端側の外周面には、図２〜４に示すように、雌側シール面２２（シール面）が形成されている。雌側シール面２２は、両ハウジングの嵌合後、シールリング４０を介して、後述する雄ハウジング３０の雄側シール面６３と密着する面である。
【００１４】
雌ハウジング２０の上側には、ロック部２４と、ストッパ部２５と、が形成されている。ロック部２４は、雌ハウジング２０の前後方向の中心部において上方に突出している。ロック部２４は、前後方向に長い直方体形状である。ロック部２４の前端部には、後方に向かって傾斜するテーパ２４Ａが形成されている。ロック部２４の後端面は、上端側がオーバーハング状に傾斜している。ストッパ部２５は、雌ハウジング２０におけるロック部２４よりも後方において、上方に突出している。ストッパ部２５は、前後方向に長い直方体形状である。ストッパ部２５の前端面は、上端側がオーバーハング状に傾斜している。
【００１５】
保護部材５０は、雌ハウジング２０が嵌合前の単体状態にあるときに、雌側シール面２２を覆う部材である。保護部材５０は、合成樹脂製である。保護部材５０は、雌ハウジング２０に装着される。保護部材５０には、図５，６に示すように、筒状部５１が形成されている。筒状部５１は、雌ハウジング２０の雌側シール面２２に対応するように、雌側シール面２２に沿って配置され得る凹凸の無い内周面を有している。保護部材５０には、保護部材側ロックアーム５２が形成されている。保護部材側ロックアーム５２は、筒状部５１から後方に突出する形態である。保護部材側ロックアーム５２は、一対のアーム部５３と、操作部５４と、を備えている。一対のアーム部５３は、前後方向に沿って平行となるように並設されている。両アーム部５３は、それぞれ傾斜部５３Ａを有している。傾斜部５３Ａは、両アーム部５３のそれぞれ前後方向途中における内面において、互いに対向し、かつ上向きに傾斜する形態になっている。一対の傾斜部５３Ａは、蟻溝状の凹部５５の両側を区画する。両アーム部５３は、両傾斜部５３Ａのそれぞれの後方に、溝部５６を有している。溝部５６は、底面が上向きに傾斜している。
【００１６】
操作部５４は、図５，６に示すように、一対のアーム部５３の後端部を連結するように形成されている。操作部５４は、雌ハウジング２０および雄ハウジング３０の嵌合時に、押圧されることで後述するハウジング側ロックアーム７１とロック部２４との当て止め状態を解除するように機能する。
【００１７】
保護部材５０は、雌ハウジング２０に対し、雌側シール面２２を覆う保護位置（図１３参照）と、雌側シール面２２から退避した退避位置（図１４参照）との間で移動可能である。具体的には、保護部材５０が保護位置にあるときには、図１３に示すように、筒状部５１が雌側シール面２２を覆っている。筒状部５１と雌側シール面２２との距離は、後述するシールリング４０の厚みより小さく、筒状部５１と雌側シール面２２とが接触又は近接する状態となっている。保護部材５０が保護位置にあるときに、一対のアーム部５３の間に、ロック部２４が位置している。操作部５４は、ロック部２４とストッパ部２５との間に位置している。一方で、保護部材５０が退避位置にあるときには、図１４に示すように、筒状部５１が雌側シール面２２よりも後方に退避している。一対のアーム部５３の間に、ロック部２４およびストッパ部２５が位置している。操作部５４は、ストッパ部２５の後方に位置している。
【００１８】
雄ハウジング３０は、図７〜９に示すように、本体部６０と、リテーナ７０と、を備えている。本体部６０は、合成樹脂製である。本体部６０は、端子金具が挿入可能な一対のキャビティ６１を有している。キャビティ６１は、本体部６０の後端側において前後方向に貫通した形態である。本体部６０の前端側には、筒状のフード部６２が形成されている。フード部６２は、図９の右側から雌ハウジング２０が嵌合される。フード部６２の後端側の内周面には、雄側シール面６３が形成されている。フード部６２の上側には、図１に示すように、長方形状の開口部６４が形成されている。開口部６４の前端には、梁部６５が形成されている。梁部６５は、下面に、後側且つ下側に向かって突出する部分を有している。フード部６２の両側の側壁には、それぞれ貫通孔６６が形成されている。
【００１９】
シールリング４０は、シリコンゴムなどによって形成されるゴム製である。シールリング４０は、雌側シール面２２および雄側シール面６３の形状に対応する形状になっている。シールリング４０は、図９に示すように、フード部６２内の後端側に設置されている。シールリング４０は、雌ハウジング２０および雄ハウジング３０の嵌合時に、雌側シール面２２および雄側シール面６３に密着する。
【００２０】
リテーナ７０は、図９に示すように、フード部６２の内側の後端側に配されている。リテーナ７０は、シールリング４０に前方から接している。リテーナ７０は、シールリング４０の抜け出しを規制する。リテーナ７０は、図１２に示すように、凹凸の無い円筒状の形態である。リテーナ７０には、ハウジング側ロックアーム７１が形成されている。ハウジング側ロックアーム７１は、リテーナ７０の上壁の一部に設けられている。ハウジング側ロックアーム７１は、リテーナ７０の後端から前方に突出している。ハウジング側ロックアーム７１の先端には、下方に突出する凸部７２が形成されている。凸部７２は、下方に向かって幅が広くなる断面蟻状である。凸部７２の前後方向の大きさは、操作部５４の前後方向の大きさと同じ程度になっている。凸部７２の前後方向の大きさは、ロック部２４とストッパ部２５との間の距離よりも少し小さくなっている。
【００２１】
リテーナ７０の両側の側壁における上端側には、それぞれ外側に突出する突起部７３が形成されている。リテーナ７０がフード部６２の内側に配された状態で、一対の突起部７３が一対の貫通孔６６にそれぞれ入り込んでいる。これにより、リテーナ７０がフード部６２に保持される。凸部７２は、梁部６５よりも後方に位置している。
【００２２】
リテーナ７０の後端には、図１２に示すように、押込部７４が形成されている。押込部７４は、リテーナ７０の後端に周設されている。押込部７４は、雌ハウジング２０および雄ハウジング３０の嵌合過程で、保護部材５０を保護位置から退避位置に押し込むように機能する。押込部７４は、フード部６２の内側に配されている。
【００２３】
後述するように、保護部材５０の凹部５５と、リテーナ７０の凸部７２と、によって連結部８０（図１６参照）が構成される。連結部８０は、ハウジング側ロックアーム７１および保護部材側ロックアーム５２のそれぞれにおいて、雌ハウジング２０および雄ハウジング３０の嵌合方向（前後方向）に凹凸嵌合し、かつ互いに離反する方向に変位するのを規制する。
【００２４】
次に、本実施例の作用を説明する。
雌ハウジング２０と雄ハウジング３０との嵌合は、図１５に示すように、雌ハウジング２０の先端側をフード部６２に挿入することで行われる。ここで、保護部材側ロックアーム５２がストッパ部２５に先端で当たっているため、保護部材５０の保護位置から退避位置への移動が規制されている。図１６に示すように、ハウジング側ロックアーム７１の凸部７２が、保護部材側ロックアーム５２の凹部５５に入り込むと、嵌合方向に凹凸嵌合する。ハウジング側ロックアーム７１および保護部材側ロックアーム５２は、連結部８０によって一体に挙動（弾性変形）することが可能となる。
【００２５】
図１７，１８に示すように、さらに雌ハウジング２０がフード部６２の奥へと挿入されると、ハウジング側ロックアーム７１がロック部２４に乗り上がる。これに連動して、保護部材側ロックアーム５２は、上方に撓み変形する。梁部６５は、溝部５６に入り込むため、保護部材５０が雄ハウジング３０から離れる方向に移動することが規制される。そのため、保護部材側ロックアーム５２とハウジング側ロックアーム７１の相対的な位置関係が維持される。
【００２６】
図１９，２０に示すように、さらに雌ハウジング２０がフード部６２の奥へと挿入されると、リテーナ７０の押込部７４が保護部材５０の先端を押し込み、雌側シール面２２が押込部７４の内側の空間に挿入される。そして、ハウジング側ロックアーム７１がロック部２４を乗り越えて弾性復帰する動作（ロック動作）が行われる。連結部８０が形成されているため、ロック動作とともに、保護部材側ロックアーム５２がストッパ部２５を乗り越えて弾性復帰する動作（退避動作）が行われる。すなわち、保護部材５０は、保護位置から退避位置へと移動する。以上のように、連結部８０によって、ロック動作と退避動作とが連結される。
【００２７】
ロック動作が行われると、図１９，２０に示すように、ハウジング側ロックアーム７１の凸部７２が、ロック部２４とストッパ部２５との間に入り込む。ハウジング側ロックアーム７１は、ロック部２４に当たって雌ハウジング２０からの離脱が規制される。退避動作が行われると、保護部材側ロックアーム５２の操作部５４が、ストッパ部２５の外側に位置する。雌ハウジング２０の雌側シール面２２は、リテーナ７０の押込部７４を通過してシールリング４０内側に密着する。このようにして、雌ハウジング２０と雄ハウジング３０との嵌合が完了する。
【００２８】
雌ハウジング２０および雄ハウジング３０の嵌合時、操作部５４は、図１９に示すように、フード部６２の開口６７から突出して配置されている。操作部５４は、図２１，２２に示すように、上方に押圧される。すると、ハウジング側ロックアーム７１が上方に撓み変形する。凸部７２がロック部２４とストッパ部２５との間から上方に抜け出し、ハウジング側ロックアーム７１とロック部２４との当て止め状態が解除される。このとき、梁部６５が溝部５６に入り込むため、保護部材５０が雄ハウジング３０に対して移動することが規制される。この状態で、雌ハウジング２０は、雄ハウジング３０から離す方向に移動され、雄ハウジング３０から離脱される。そして、保護部材５０は、保護位置に戻る。
【００２９】
以上のように、本開示のコネクタ１０は、雌ハウジング２０および雄ハウジング３０の嵌合前、雌側シール面２２は、保護部材５０で覆われているため、外部異物と干渉するのが防止される。その結果、雌側シール面２２が損傷するのが防止され、シール性を確保することができる。従来のように、雌側シール面２２を、雌ハウジング２０に一体的に設けられる筒体部によって包囲して保護する必要がない。そのため、コネクタ１０は、小型化を図りつつ、雌側シール面２２を保護することができる。
【００３０】
本開示のコネクタ１０は、雌ハウジング２０および雄ハウジング３０の嵌合過程で、押込部７４によって保護部材５０が保護位置から退避位置に押し込まれる。そのため、保護部材５０を退避位置まで別途移動させる必要がなく、作業性を向上させることができる。
【００３１】
本開示のコネクタ１０は、雌ハウジング２０がフード部６２の内側に入った後、保護部材５０が退避位置に押し込まれるから、雌側シール面２２を保護する確実性を高めることができる。
【００３２】
本開示のコネクタ１０は、リテーナ７０が、シールリング４０の抜け出しを規制する機能に加え、保護部材５０を退避位置に押し込む機能を兼備する。したがって、保護部材５０を退避位置に押し込むための専用の構造を設ける必要がなく、全体の構造を簡単にすることができる。
【００３３】
本開示のコネクタ１０は、雌ハウジング２０および雄ハウジング３０の嵌合時に、連結部８０を介して保護部材側ロックアーム５２とストッパ部２５との当て止め状態を自動的に解除することができる。このため、保護部材側ロックアーム５２とストッパ部２５との当て止め状態を解除するための特別な作業が不要となり、作業性を向上させることができる。また、雌ハウジング２０および雄ハウジング３０の嵌合後、保護部材側ロックアーム５２が弾性復帰することにより、保護部材側ロックアーム５２に残留応力が生じるのを防止することができる。
【００３４】
本開示のコネクタ１０は、連結部８０が簡単な構造であり、ハウジング側ロックアーム７１と保護部材側ロックアーム５２の連結状態を良好に維持することができる。
【００３５】
本開示のコネクタ１０は、保護部材側ロックアーム５２とハウジング側ロックアーム７１とが連結部８０によって連結され、操作部５４が保護部材側ロックアーム５２に設けられていてフード部６２の開口から突出しているため、ハウジング側ロックアーム７１とロック部２４との当て止め状態を解除する作業を支障なく行うことができる。
【００３６】
［他の実施例］
今回開示された実施の形態はすべての点で例示であって制限的なものではないと考えられるべきである。
例えば、実施例１は、リテーナ７０に押込部７４が設けられていたが、他の実施例としては、本体部６０に押込部が設けられていてもよい。
実施例１は、連結部８０は、蟻溝状の凹部５５と、断面視台形状の凸部７２と、によって構成されていたが、他の実施例としては、凹部５５および凸部７２が、雌ハウジング２０および雄ハウジング３０の嵌合方向に凹凸嵌合する構成であればその他の形状であってもよい。例えば、連結部８０は、断面視逆Ｔ字状に凹む凹部５５と、断面視逆Ｔ字状に下方に突出する凸部７２と、が雌ハウジング２０および雄ハウジング３０の嵌合方向に凹凸嵌合する構成であってもよい。
【符号の説明】
【００３７】
１０…コネクタ
２０…雌ハウジング（第１ハウジング）
２１…キャビティ
２２…雌側シール面（シール面）
２４…ロック部
２４Ａ…テーパ
２５…ストッパ部
３０…雄ハウジング（第２ハウジング）
４０…シールリング
５０…保護部材
５１…筒状部
５２…保護部材側ロックアーム
５３…アーム部
５３Ａ…傾斜部
５４…操作部
５５…凹部
５６…溝部
６０…本体部
６１…キャビティ
６２…フード部
６３…雄側シール面
６４…開口部
６５…梁部
６６…貫通孔
６７…開口
７０…リテーナ
７１…ハウジング側ロックアーム
７２…凸部
７３…突起部
７４…押込部
８０…連結部
【図１】
2020149775.tif 000003
【図２】
2020149775.tif 000004
【図３】
2020149775.tif 000005
【図４】
2020149775.tif 000006
【図５】
2020149775.tif 000007
【図６】
2020149775.tif 000008
【図７】
2020149775.tif 000009
【図８】
2020149775.tif 000010
【図９】
2020149775.tif 000011
【図１０】
2020149775.tif 000012
【図１１】
2020149775.tif 000013
【図１２】
2020149775.tif 000014
【図１３】
2020149775.tif 000015
【図１４】
2020149775.tif 000016
【図１５】
2020149775.tif 000017
【図１６】
2020149775.tif 000018
【図１７】
2020149775.tif 000019
【図１８】
2020149775.tif 000020
【図１９】
2020149775.tif 000021
【図２０】
2020149775.tif 000022
【図２１】
2020149775.tif 000023
【図２２】
2020149775.tif 000024